(57)【特許請求の範囲】
【請求項１】
便座の持ち上げを補助するものであって、いずれも平面視で便座からはみ出ることのない大きさを有し、
高さが便蓋のストッパー以下の本体と、
肉厚が便蓋のストッパー以下で便座の主面方向に回転中心軸を有するように本体側面に揺動可能に取り付けられたハンドルと、
本体底面を便座の上面に固定させる固定部材と
を備えることを特徴とする便座持ち上げ補助具。
【請求項２】
前記本体が、プラスチック及び金属のうち１種以上から選ばれる硬質部材からなり、前記固定部材が、本体底面に取り付けられた粘着テープである、請求項１に記載の便座持ち上げ補助具。
【請求項３】
前記本体が、プラスチック及び金属のうち１種以上から選ばれる硬質部材からなり、前記固定部材が、本体底面に取り付けられた吸盤である、請求項１に記載の便座持ち上げ補助具。
【請求項４】
前記ハンドルが、上下方向に膨らんだ突起を有する、請求項１〜３のいずれかに記載の便座持ち上げ補助具。
【発明の詳細な説明】
【技術分野】
【０００１】
この発明は、洋式便器の便座に手を触れることなく便座を持ち上げることができるようにする補助具に関する。
【背景技術】
【０００２】
便座に直接手で触ると便座の雑菌が手に付着して不衛生であることから、便座に触らなくても便座を上げ下げすることができれば望ましい。そこで、例えば、便座の側面に接着剤などで固定されたＵ字状の取っ手（特許文献１）、便座に結び付けられた帯に取り付けられたリング（特許文献２）、便座を上下から挟んで便座の側面に突出させた取っ手（特許文献３）、便座を上下から挟んで便座の側面に突出させた取っ手（特許文献３）、便座の下面に粘着テープで固定されて側面に突出させた取っ手（非特許文献１）などが提案されている。
【先行技術文献】
【特許文献】
【０００３】
【特許文献１】特開平１１−１５１１８２号公報
【特許文献２】特開２０００−１２６０８２号公報
【特許文献３】特開２０００−２８７８８８号公報
【非特許文献】
【０００４】
【非特許文献１】Ｓｈｏｐｐｉｎｇ  ＆  Ｃｏｍｍｕｎｉｃａｔｉｏｎ  Ａｔｔａｌａ、［ｏｎｌｉｎｅ］、［平成２３年１月２２日検索］、インターネット＜http://item.rakuten.co.jp/attala/ad-16/＞
【発明の概要】
【発明が解決しようとする課題】
【０００５】
しかし、前記従来の取っ手等は、いずれも便座の側面又は下面を介して固定されているため、便座に近い部分が大便や小便の飛散物により汚れてしまう。従って、放置すると側面に突出している部分までばい菌が広がり、依然として不衛生であり、その目的を十分に達成していないことに変わりはない。
それ故、この発明の課題は、便器の通常の使用方法ではあまり汚れることなく長く衛生が保たれる便座持ち上げ補助具を提供することにある。
【課題を解決するための手段】
【０００６】
その課題を解決するために、この発明の便座持ち上げ補助具は、
便座の持ち上げを補助するものであって、いずれも平面視で便座からはみ出ることのない大きさを有し、
高さが便蓋のストッパー以下の本体と、
肉厚が便蓋のストッパー以下で便座の主面方向に回転中心軸を有するように本体側面に揺動可能に取り付けられたハンドルと、
本体底面を便座の上面に固定させる固定部材と
を備えることを特徴とする。
【０００７】
この発明の便座持ち上げ補助具（以下、「補助具」ともいう。）を使用するときは、前記固定部材を介して便座の上面に補助具を固定する。そして、ハンドルをもって便座を持ち上げる。従って、便座に手を触れる必要が無く、気持ちよく用便することができる。
【０００８】
しかもこの発明の補助具は、平面視で便座からはみ出ることがなく、便座の下から眺めると便座で隠れるため、大便や小便が飛散しても補助具には付着しない。また、便器不使用時には、一般に便蓋が便座の上面に揺動可能に被せられ、便蓋の下面には高さ１ｃｍ程度のストッパーが設けられていて便蓋の下面の大部分が便座と非接触状態を保つようにされているところ、この発明の補助具は本体の高さ及びハンドルの肉厚がともに前記ストッパー以下であるので、便蓋と便座とで挟まれる間隙に収まる。従って、埃などが付着しにくく、衛生的である。
【発明の効果】
【０００９】
以上のように、この発明によれば、雑菌や汚れがほとんど付着しない補助具を介して便座を持ち上げるできるので、便座の雑菌や汚れに触れることなく、気持ちよく用便することができる。
【図面の簡単な説明】
【００１０】
【図１】実施形態１の補助具を示し、（ａ）平面図、（ｂ）正面図、（ｃ）側面図である。
【図２】上記補助具の使用状態を示す斜視図である。
【図３】実施形態２の補助具を示す正面図である。
【発明を実施するための形態】
【００１１】
−実施形態１−
この発明の便座持ち上げ補助具の実施形態を説明する。図１は、この実施形態の 補助具を示し、（ａ）平面図、（ｂ）正面図、（ｃ）側面図、図２は、この補助具の使用状態を示す斜視図である。
便座持ち上げ補助具１は、本体２、ハンドル３及びテープ（固定部材）４からなる。
【００１２】
本体２は、プラスチック製で、平面視で平行な直線状の２辺と、それらをつなぐ２つの半円状の辺とで囲まれる対称形状をなし、正面視及び側面視では中央が上方に膨らんだドーム状をなしている。本体２は、直線状の２辺間の寸法が３ｃｍ、半円状の２辺間の最大寸法が４．５ｃｍ、中央の高さが１ｃｍという大きさを有する。本体２の底面には平面視で直線状の２辺に直交する方向に幾何学的中心を通る半割円筒状の軸受け用凹部２１が形成されている。本体２は、ステンレス等の金属製であってもよい。
【００１３】
ハンドル３は、ステンレス製で、短辺外寸４．５ｃｍ、長辺外寸９ｃｍの平面視方形で５．５ｍｍの肉厚を有する。ハンドル３の一方の短辺は、軸受け用凹部２１に嵌合されて回転軸として機能し、これによりハンドル３は本体２に対してヒンジ的に揺動可能である。また、ハンドル３の２本の長辺の各中間部には上下方向に丸く膨らんだ突起３１、３１が一体的に形成されている。突起３１の上端から下端までの寸法は、７ｍｍである。ハンドル３は、プラスチック製であってもよい。
【００１４】
テープ４は、凹部２１の部分を除いて本体２の底面のほぼ全面に接着されており、下面に粘着剤が塗布されている。
補助具１を使用するときは、図２に示すようにハンドル３が便座Ｓの左右方向を軸中心として揺動するように、テープ４を介して便座Ｓの上面に補助具１を固定する。そして、男性が立って小便をするときは、ハンドル３をもって便座Ｓを持ち上げる。従って、便座Ｓに手を触れる必要が無く、気持ちよく用便することができる。
【００１５】
しかも既製の便座Ｓのほとんどは７〜９ｃｍ程度の幅を有し、補助具１全体の幅よりも十分大きい。従って、補助具１は、平面視で便座Ｓからはみ出ることがなく、便座Ｓの下から眺めると便座Ｓで隠れるため、大便や小便が飛散しても補助具１には付着しない。また、便器不使用時には、一般に便蓋Ｃが便座Ｓの上面に揺動可能に被せられ、便蓋Ｓの下面には高さ１ｃｍ程度のストッパーＫが設けられていて便蓋Ｃの下面の大部分が便座Ｓと非接触状態を保つようにされているところ、補助具１は本体２の高さ及びハンドル３の肉厚がともに１ｃｍであるので、便蓋Ｃと便座Ｓとで挟まれる間隙に収まる。従って、埃などが付着しにくく、衛生的である。
【００１６】
更に、ハンドル３は、便座Ｓが倒されているときは突起３１の一方の膨らみで支持され、便座Ｓが立てられているときは反転して突起３１の他方の膨らみで支持される。このため、ハンドル３は、突起３１以外の部分が便座Ｓや便蓋Ｃに触れることが無く、一層衛生的に保たれる。
尚、図２と異なり、補助具１は、便座のSの周方向を軸中心として揺動するように固定しても良い。
【００１７】
−実施形態２−
図３は、第二の実施形態の補助具を示す正面図である。この実施形態の補助具１１は、実施形態１におけるテープ４に代えて、ニトリルゴム等からなる吸盤１４、１４が本体２底面における凹部２１を挟む長寸方向両側に取り付けられている。その他の構成は、実施形態１と同じであってよい。
【００１８】
補助具１１は、吸盤１４、１４を介して便座Ｓの上面に着脱自在に固定されるので、万一汚れたときは、便座Ｓから取り外して洗浄し、再度便座Ｓに固定することができる。
【符号の説明】
【００１９】
１、１１  補助具
２  本体
３  ハンドル
４  テープ
１４  吸盤
３１  突起
【図１】
0005669196.tif 000002
【図２】
0005669196.tif 000003
【図３】
0005669196.tif 000004